(57)【特許請求の範囲】
【請求項１】
操作部の両端から一対のカム板部を互いに平行に延出した略コの字状のレバーをハウジングに装着してなり、前記カム板部に形成されたカム溝に相手側ハウジングのカムピンを係合させて前記レバーの操作を行うことで記カム溝と前記カムピンとのカム作用によって前記両ハウジングが互いに引き寄せられて正規嵌合されるようにしたものであって、
前記カム板部は、厚み方向にずれて設けられた一対の案内板を備えて構成されるととともに、前記カム溝の溝縁部の一部を前記一対の案内板のうちの一方の案内板の端縁部に形成し、前記溝縁部の他の部分をもう一方の案内板の端縁部に形成して、両側の前記溝縁部について前記カム板部の板面に沿った所定の型開き方向を開放した形態とすることで、前記レバーを前記型開き方向に沿って開閉する一対の金型によって成形可能としたことを特徴とするレバー式コネクタ。
【発明の詳細な説明】
【０００１】
【発明の属する技術分野】
本発明は、レバー式コネクタに関する。
【０００２】
【従来の技術】
レバー式コネクタは、一方のハウジングに装着したレバーと相手側ハウジングとの間のカム作用を利用して、両ハウジングを嵌合させるようにしたものであり、レバー１は、一般的には図１０に示すように操作部２の両端から一対のカム板部３を平行に延出したコの字状をなしている。一対のカム板部３には、それぞれ相手側ハウジングのカムピン（図示せず）を係合可能なカム溝４が厚み方向に凹んで又は貫通して形成されている。このレバー１は、カム板部３の延出方向に沿って操作されるスライド式のものであるが、この他にもハウジングに設けられた支持軸を中心として回動操作される回動式のレバーもあり、そのような回動式レバーも一般にはスライド式のものと同様に全体がコの字状をなし、その一対のカム板部にカム溝が厚み方向に凹んで又は貫通して形成された形態となっている。なお、レバー式コネクタの一例として、特開２０００−３１５５４９に記載のものがある。
【０００３】
【発明が解決しようとする課題】
ここで、上記のようなコの字状のレバーを成形する場合の金型構造を考えると、金型の主要部分はカム板部３の板面に沿った一方向（図１０のＸ−Ｘ方向）に開閉する構造となる。また、カム板部３にカム溝４を形成するために、上記の金型構造に加えてカム板部３の厚み方向（Ｙ−Ｙ方向）に開閉するスライド型が設けられる。そのため、このようなレバーは、金型構造が複雑で製造コストが嵩むという問題があった。
本発明は、上記事情に鑑みてなされたもので、その目的は、レバーの成形金型の構造を簡単にすることの可能なレバー式コネクタを提供するところにある。
【０００４】
【課題を解決するための手段】
上記の課題を解決するための請求項１の発明に係るレバー式コネクタは、操作部の両端から一対のカム板部を互いに平行に延出した略コの字状のレバーをハウジングに装着してなり、前記カム板部に形成されたカム溝に相手側ハウジングのカムピンを係合させて前記レバーの操作を行うことで記カム溝と前記カムピンとのカム作用によって前記両ハウジングが互いに引き寄せられて正規嵌合されるようにしたものであって、前記カム板部は、厚み方向にずれて設けられた一対の案内板を備えて構成されるととともに、前記カム溝の溝縁部の一部を前記一対の案内板のうちの一方の案内板の端縁部に形成し、前記溝縁部の他の部分をもう一方の案内板の端縁部に形成して、両側の前記溝縁部について前記カム板部の板面に沿った所定の型開き方向を開放した形態とすることで、前記レバーを前記型開き方向に沿って開閉する一対の金型によって成形可能としたところに特徴を有する。
【０００５】
【発明の作用および効果】
請求項１の発明によれば、レバーのカム板部が厚み方向にずれて設けられた一対の案内板を備えて構成されるとともに、カム溝の溝縁部が両案内板に分かれて形成され、両側の溝縁部がカム板部の板面に沿った所定の型開き方向に開放された形態となっている。これにより、レバーは、前記の型抜き方向に沿って開閉する一対の金型のみによって成形する事が可能となる。従って、カム溝を成形するためのスライド型が不要となるため、金型構造を簡単にでき、コストを削減できる。
【０００６】
【発明の実施の形態】
次に本発明の一実施形態について図１から図９を参照して説明する。
本実施形態のレバー式コネクタＣは、図１に示すように、雄ハウジング１０と嵌合可能な雌ハウジング２０（本発明の「ハウジング」に相当）と、この雌ハウジング２０に装着されるレバー３０とを備えて構成されている。
【０００７】
雄ハウジング１０は合成樹脂製であって、図２にも示すように、横長のブロック状をなす本体部１１の前面に小フード部１２が突設された形状となっている。この雄ハウジング１０における小フード部１２の奥面からは、大雄端子１３Ｌと小雄端子１３Ｓとが複数本ずつ整列して突設されている。また、小フード部１２の上下両面には、前縁に寄った位置で横幅方向の中央部に、円柱状のカムピン１４が立てられている。
【０００８】
雌ハウジング２０は、同じく合成樹脂製であって、図３及び図４にも示すように、上記した雄ハウジング１０の小フード部１２内に嵌合可能なタワー部２１の周りに小フード部１２の外側に嵌合可能な大フード部２２が設けられた形状となっている。大フード部２２の上面と下面とには、それぞれ所定間隔を開けてカバー部２３が形成されており、両カバー部２３と大フード部２２の上下の面との間に、後記するレバー３０のカム板部３２が挿通される挿通路２４が形成されている。この挿通路２４は、左右両面に開口しているのに対して、前後両面は塞がれている。また、雌ハウジング２０における上下の挿通路２４の前面を塞ぐ前面板２５には、その横幅方向の中央部に、カムピン１４の進入を許容する通孔２６が開口されている。タワー部２１内には、大雄端子１３Ｌと対応する大雌端子（図示せず）が収容される大キャビティ２８Ｌと、小雄端子１３Ｓに対応する小雌端子（図示せず）が収容される小キャビティ２８Ｓとが整列して形成されている。
【０００９】
レバー３０は、合成樹脂製であって、図１，図５ないし図７に示すように、細長い平板状の操作部３１の両端から一対のカム板部３２を互いに平行に延出したコの字状に形成されている。各カム板部３２は、全体として平板状をなすとともに、前後に並んで設けられた前側案内板３２Ａと後側案内板３２Ｂとから構成されている。前側案内板３２Ａは後側案内板３２Ｂに対して上下方向（厚み方向）の内側に板厚一枚分ずれて設けられている。カム板部３２には、雄ハウジング１０のカムピン１４と係合可能なカム溝３４が厚み方向に貫通して形成されている。カム溝３４は、カム板部３２の先端付近に前方へ向けて開口した入口３５からカム板部３２の長さ方向の中央付近に設けられた終点３６へ向けて次第に傾いた傾斜状に形成されている。このカム溝３４の入口３５から終点３６にかけて形成される溝縁部分のうち、終点３６から前側に形成される挿入案内縁部３４Ａは、前側案内板３２Ａの後側の端縁部に形成され、後方が開放した形態となっている。また、終点３６から後側に形成される離脱案内縁部３４Ｂは、後側案内板３２Ｂの前側の端縁部に形成され、前方が開放した形態となっている。上記レバー３０は、両カム板部３２を雌ハウジング２０の上下の挿通路２４に挿通しつつ左右いずれかの側面側から差し込み装着される。前側案内板３２Ａ及び後側案内板３２Ｂは、挿通路２４内にてそれぞれ前後方向と上下方向（厚み方向）とに位置決めされるようになっている。
【００１０】
雌雄両ハウジング１０，２０の嵌合を行うには、まずレバー３０のカム板部３２を雌ハウジング２０の挿通路２４に長さ寸法の略半分ほど差し込んで、カム溝３４の入口３５と通孔２６とを整合させた嵌合開始位置に装着する。そして、雄ハウジング１０を雌ハウジング２０の大フード部２２内に嵌合すると、雄ハウジング１０側のカムピン１４が通孔２６を通ってカム溝３４の入口３５に進入し、カム溝３４と係合した状態となる（図８参照）。
【００１１】
続いて、操作部３１を押圧してレバー３０をカム板部３２全体が挿通路２４内に収容される嵌合完了位置へ向けて押し込む。すると、主にカム溝３４の挿入案内縁部３４Ａがカムピン１４に摺接しつつカムピン１４を奥側へ誘導することによって、雄ハウジング１０が次第に雌ハウジング２０側に押し込まれる。レバー３０が嵌合完了位置まで押し込まれると、図９に示すように、カムピン１４もカム溝３４の終点３６に移動し、これにより雄雌のハウジング１０，２０が正規に嵌合された状態となる。
【００１２】
両ハウジング１０，２０の嵌合を外すには、図９の状態からレバー３０の操作部３１を掴んでレバー３０を引っ張る。すると、主にカム溝３４の離脱案内縁部３４Ｂがカムピン１４に摺接しつつカムピン１４を開口側へ誘導することによって、雄ハウジング１０が次第に雌ハウジング２０から離間する方向に押し出される。レバー３０が嵌合開始位置まで引き戻されると、カムピン１４はカム溝３４の入口３５まで戻されるため、続いて、雄ハウジング１０を引っ張れば、カムピン１４を通孔２６を通して手前に抜きつつ、雄ハウジング１０を雌ハウジング２０から外すことができる。
【００１３】
以上説明したように本実施形態では、レバー３０のカム板部３２は、厚み方向にずれて設けられた一対の案内板３２Ａ，３２Ｂを備えて構成されている。そして、カム溝３４が前側案内板３２Ａの後側端縁部と後側案内板３２Ｂの前側端縁部とに分かれて形成され、挿入案内縁部３４Ａの後方及び離脱案内縁部３４Ｂの前方が開放された形態となっている。このため、レバー３０は、前後方向（図５のＸ−Ｘ軸方向）に開閉される一対の金型（図示せず）のみによって成形することが可能となる。これにより、カム溝を成形するためのスライド型が不要となるため、金型構造を簡単にでき、コストを削減できる。また、限られたスペースに多数個のレバーの成形空間を設けることができ、製造効率を向上することができる。
【００１４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、スライド式のレバーを示したが、本発明は、コの字状をなす回動式のレバーにも適用することができる。
（２）上記実施形態では、型開き方向を操作部の板面に沿うような前後方向としたが、本発明によれば、型開き方向は、カム板部の板面に沿った方向であれば、他の方向とすることもできる。なお、操作部は、平板状でなくとも棒状等に形成しても良い。
【００１５】
（３）上記実施形態では、カム溝部はカム板部の厚み方向に貫通した形態であるが、本発明によれば、カム溝部は貫通せずともカム板部の厚み方向に凹んだ形状であれば良い。
（４）上記実施形態では、カム板部において両案内板が操作部から別々に突出した形態であるが、本発明によれば、例えば両案内板は基端側で一体になった形態としても良い。
【図面の簡単な説明】
【図１】本発明の一実施形態に係るレバー式コネクタ及び雄ハウジングの分解平面図
【図２】雄ハウジングの正面図
【図３】雌ハウジングの正面図
【図４】その側面図
【図５】レバーの斜視図
【図６】その正面図
【図７】その側面図
【図８】雌雄のハウジングの初期嵌合状態を示す平面図
【図９】その嵌合完了状態を示す平面図
【図１０】従来のレバーを示す斜視図
【符号の説明】
Ｃ…レバー式コネクタ
１０…雄ハウジング（相手側ハウジング）
１４…カムピン
２０…雌ハウジング（ハウジング）
３０…レバー
３１…操作部
３２…カム板部
３２Ａ…前側案内板
３２Ｂ…後側案内板
３４…カム溝
３４Ａ…挿入案内縁部（カム溝の溝縁部）
３４Ｂ…離脱案内縁部（カム溝の溝縁部）
【図１】
0003855834.tif 000002
【図２】
0003855834.tif 000003
【図３】
0003855834.tif 000004
【図４】
0003855834.tif 000005
【図５】
0003855834.tif 000006
【図６】
0003855834.tif 000007
【図７】
0003855834.tif 000008
【図８】
0003855834.tif 000009
【図９】
0003855834.tif 000010
【図１０】
0003855834.tif 000011